(57)【特許請求の範囲】
【請求項１】
固定底板(3a)と、内壁(3c)に凸部(11)を有し、固定底板(3a)上に回転自在に設けたタブ(3) と、固定底板(3a)の開口部(12)に設けた回転式破砕機(1) と、前記破砕機(1) の回転軸(1a)に直交する方向の、前記開口部(12)の一側に、タブ(3) の内壁(3c)に向けて傾斜させて設けたデフレクタ(14)と、前記タブ(3) の内壁(3c)で、かつ前記デフレクタ(14)の傾斜面の延長線が通る位置近傍に半径方向に延設した邪魔板(20,21) とを備えた
ことを特徴とするタブ式破砕装置。
【請求項２】
請求項１記載のタブ式破砕装置において、
前記邪魔板(20,21) を前記凸部(11)の上部近傍に設けた
ことを特徴とするタブ式破砕装置。
【発明の詳細な説明】
【０００１】
【発明の属する技術分野】
本発明は、回転式破砕機に被破砕物を回転して供給するタブを有するタブ式破砕装置、特には木材破砕装置に関する。
【０００２】
【従来の技術】
自走式破砕機械は岩石破壊用、コンクリート破壊用等、各種存在する。例えば木材破砕用は、図４、図５に例示するように、回転式破砕機１と、外部から投入された木材２を回転によって回転式破砕機１に供給する回転式タブ３とを自走式台車４上に備え、回転式タブ３から導入した木材２を回転式破砕機１によって破砕し、外部に排出自在とされている。
【０００３】
回転式破砕機１はいわゆるハンマーミルである。これは破砕機駆動手段によって回転自在とされた軸１ａの外周にカッタ１ｂを複数有し、このカッタ１ｂによって木材２を破砕する。破砕機駆動手段は油圧駆動やダイレクト駆動等である。回転式タブ３は固定底板３ａ上に図示しないタブ駆動手段によって回転自在とされた漏斗３ｂを有する。固定底板３ａの一部は開口しており、この開口部から回転式破砕機１の上部のカッタ１ｂを上から見ることができる。タブ駆動手段も油圧駆動やダイレクト機構等である。
【０００４】
すなわち、回転式タブ３内に長尺な木材２を投入すると、木材２の下端が固定底板３ａ上や開口内のカッタ１ｂに当り、一方、木材２が倒れてその上部側面が漏斗３ｂの内壁に当る。漏斗３ｂの内壁には凸部が上下方向に複条設けられ、漏斗３ｂの回転によって凸部が木材２を押す。この結果、木材２は姿勢を変化しつつ、下端が固定底板３ａ上とカッタ１ｂとの間で行き来し、長尺な木材２もカッタ１ｂで破砕される。破砕物はパルプ原料、肥料、燃料等としても用いられる。
【０００５】
図６は従来のタブ式破砕装置１０ｂの平面図であり、図７は図６のＢ−Ｂ矢視図である。図６、図７において、固定底板３ａの上には円筒形のタブ３が矢印方向に回転自在に取り付けられている。タブ３の上部には漏斗３ｂが設けられており、内壁３ｃには上下方向に沿ってすじ状に、かつ径方向内側に突起した凸部（通常リムと呼ばれる）１１が複数個取り付けられている。凸部１１は回転方向に向かう面が内壁３ｃに垂直な面となっている。タブ３内の固定底板３ａには開口部１２がタブ３の回転中心に対して片寄せて設けられ、開口部１２からは破砕機１のカッタ１ｂを取り付けたロータ１３の上部の一部が覗いている。ロータ１３は、図７に示す矢印１ｃ方向に回転する。開口部１２の破砕機１の軸１ａに直交する方向の一側には、ロータ１３の円筒面にほぼ沿って、かつタブ３の内壁３ｃに向けて斜め上方向に傾けて、破砕機１の一部を覆うようにデフレクタ１４が設けられている。固定底板３ａの下方にはロータ１３を囲むようにしてスクリーン１５が取り付けられており、スクリーン１５には所定の大きさの貫通孔が複数個設けられている。
【０００６】
次に作動について説明する。外部からタブ３内に木材を投入すると、タブ３の回転に伴なって木材は凸部１１に押されて白矢印の方向に移動し、破砕機１のカッタ１ｂにより切削され破砕される。破砕された破砕物はスクリーン１５内に入り、所定の大きさ以下のものはスクリーン１５の貫通孔から下方に排出される。所定の大きさ以上のものはロータ１３とともにスクリーン１５内を回り、固定底板３ａ上に放出される。その際、放出された破砕物で、デフレクタ１４に当って反射したものは、図７に２点鎖線で示すデフレクタ１４の傾斜面の延長線よりも下側のタブ３の内壁３ｃに向けて斜め上方に飛んで行くようになっている。
【０００７】
【発明が解決しようとする課題】
しかしながら、上記従来技術のような構成においては、図７の矢印ａ，ｂに示すように、デフレクタ１４で反射した破砕物はさらにタブ３の内壁３ｃで反射してその内壁３ｃに沿って上昇し、そのまま上方に飛散したり、又は、内壁３ｃの凸部１１に当って反射して上方に上り、外部に飛散したりするという問題がある。特に、図示矢印ｂのように凸部１１に当ってから上方に上がって行く破砕物の量は多く、飛散防止の上から重要な問題となっている。
【０００８】
本発明は、上記の問題点に着目してなされたものであり、破砕物のタブ外部への飛散量を軽減するタブ式破砕装置を提供することを目的としている。
【０００９】
【課題を解決するための手段、作用及び効果】
上記の目的を達成するために、第１発明は、固定底板と、内壁に凸部を有し、固定底板上に回転自在に設けたタブと、固定底板の開口部に設けた回転式破砕機と、前記破砕機の回転軸に直交する方向の、前記開口部の一側に、タブの内壁に向けて傾斜させて設けたデフレクタと、前記タブの内壁で、かつ前記デフレクタの傾斜面の延長線が通る位置近傍に半径方向に延設した邪魔板とを備えた構成としている。
【００１０】
第１発明によると、タブの内壁で、かつデフレクタの傾斜面の延長線が通る位置近傍に半径方向に延設した邪魔板を設けたため、回転式破砕機によって跳ね飛ばされ、かつ、デフレクタによってタブの内壁に向かって放出された破砕物が、タブの内壁に沿って上方に飛び出そうとするのを確実に抑えることができ、破砕物のタブ外への飛散を防止できる。
【００１１】
第２発明は、第１発明に基づき、前記邪魔板を前記凸部の上部近傍に設けた構成としている。
【００１２】
第２発明によると、邪魔板を凸部の上部近傍に設けたため、凸部形状が上下方向にすじ上のリム形状である場合には、凸部に沿ってタブの上方に飛び出そうとする破砕物を押さえることができる。また、凸部が単独の突起物である場合には、凸部に当ってタブの外に飛び出そうとする破砕物は邪魔板に当って下方に落ち、外に飛散することはない。したがって、確実に、かつ、効率的な飛散防止効果が得られる。また、邪魔板を凸部によって補強することも可能であり、邪魔板の強度を確保することが容易になる。また、タブ自体の補強にもなる。
【００１３】
【発明の実施の形態】
以下に本発明に係るタブ式破砕装置の実施形態について図面を参照して詳述する。
【００１４】
図１は第１実施形態のタブ式破砕装置１０の平面図であり、図２は図１のＡ−Ａ矢視図である。第６図、第７図で説明した構成要素と同一要素には同一符号を付して説明は省略し、異なる部分についてのみ説明する。
タブ３の内壁３ｃの上端部近傍に、ほぼ水平に環状の邪魔板２０を設ける。邪魔板２０は内壁３ｃから半径方向に延設されており、その径方向幅Ｗは、デフレクタ１４の傾斜面に沿って斜め上向きに放出された破砕物が邪魔板２０の下面で当るのに必要な寸法となっている。本実施例では、凸部１１の上端部よりやや下部に設けている。
【００１５】
本実施形態によると、タブ３の内壁３ｃの上端部近傍に、半径方向に延設した環状の邪魔板２０を設けている。そのため、デフレクタ１４によって斜め上向きに放出された破砕物は、内壁３ｃに沿って上方に上昇したり、又は、複数条の凸部１１に沿って上方に上昇し、邪魔板２０に当ってタブ３内に落ちる。従って、破砕物がタブの外部に飛散するのを防止できる。また、デフレクタ１４の傾斜面の延長線が凸部１１の上端部近傍を通るようにデフレクタ１４の傾斜角を設定してあり、この場合に邪魔板２０を凸部１１の上端部近傍に設けたため、邪魔板２０の径方向幅Ｗを凸部１１の径方向長さにほぼ等しくしてもこの邪魔板２０で十分にデフレクタ１４からの反射物を受けることができ、邪魔板２０の幅Ｗを小さくできる。このため、外部からタブ３内に投入する際の木材の邪魔になることが少ない。また、凸部１１により邪魔板２０の強度を確保できる。また、邪魔板２０はタブ３の強度アップにも効果がある。
【００１６】
尚、本発明での他の実施態様を以下に説明する。
本実施形態では、邪魔板２０は内壁３ｃの上端部近傍で、凸部１１の上端部よりもやや下部に、凸部１１の径方向高さにほぼ等しい径方向幅に設けてあるが、邪魔板２０の取付高さ位置及び幅はこれに限定するものではない。即ち、邪魔板２０の取付高さ位置を下部に、例えば図２に示す邪魔板２０ａや邪魔板２０ｂの高さに設定する場合は、その径方向幅Ｗａ，Ｗｂをデフレクタ１４の傾斜面に沿って斜め上向きに放出された破砕物がそれぞれ邪魔板２０ａ，２０ｂの下面で反射するのに必要な寸法であればよい。
本実施形態では、凸部１１は上下方向のすじ状のリムで構成したが、これに限定されず、例えば上下方向長さが短い突起物を内壁に規則的に、又はランダムに配置したものでも構わない。又は、上下方向に対して斜めに（例えばタブ３の回転方向に向けて前傾させる）設けたリムで構成しても良く、この場合リムの前面で反射した破砕物はそのリムの前方に落下し易くなる。
また本実施形態では、破砕機１の軸１ａは固定底板３ａに平行に略水平に設けてあるが、所定角度傾けていても構わない。
さらに、デフレクタ１４は破砕機１の一部を覆うように設けられているが、破砕機１から放出された破砕物を所定方向に反射してタブ３の内壁３ｃに向けてガイドするものであれば、その形状及び取付位置は問わない。
【００１７】
次に、図３により第２実施形態を説明する。図３は、本実施形態のタブ式破砕装置の平面図である。第１実施形態のものと同一部材には同一符号を付して説明は省略し、異なる部分についてのみ説明する。
タブ３の内壁３ｃに設けられた複数個の凸部１１に、それぞれ周方向に所定長さを有する帯状かつ円弧状の邪魔板２１を断続的に取り付ける。邪魔板２１の取り付け高さ位置は第１実施形態と同様に各凸部１１の上端部よりもやや下部であり、周方向位置は上面視で各凸部１１と重なる位置であり、邪魔板２１の径方向幅Ｗも凸部１１の径方向高さに略等しい。
【００１８】
本実施形態によると、邪魔板２１を各凸部１１の上端部近傍にそれぞれ設けたため、デフレクタ１４で反射され、さらに凸部１１やタブ３の内壁３ｃに当って凸部１１やタブ３の内壁３ｃに沿って上方に上がる大量の破砕物が邪魔板２１により反射される。これにより、破砕物がタブ３の外部に飛散するのを確実に、かつ効率的に防止できる。また、邪魔板２１を凸部１１の上端部近傍に設けたため、邪魔板２１の強度の確保が容易である。
【００１９】
尚、上記第２実施形態では、邪魔板２１を内壁３ｃの上端部近傍に位置させているが、邪魔板２１の取付位置（高さ、周方向）及び径方向幅は上記に限定されるものではない。
【００２０】
また、凸部１１が上下方向にすじ状の突起物（リム）ではなくて、上下長さの短い突起物であってもよく、この場合にも邪魔板２１を突起物の上部近傍に配置することにより、突起物に当って跳ね飛ばされた破砕物は邪魔板２１に当ってタブ３内に落下するので、破砕物のタブ３外への飛散が防止される。
【００２１】
以上説明したように、本発明によると、回転式タブの内壁の上端部近傍に邪魔板を設けたので、タブ内壁や内壁の突起物に沿って上がってくる破砕物がタブ外部に飛散するのを確実に防止できる。タブの底部に設けた破砕機の近傍に、破砕機からの破砕物を反射してタブ内壁に向けて飛ばすことのできるデフレクタを設けてあると、このデフレクタからの破砕物がタブ内壁や内壁の突起物に沿って上がって来てタブ外部に飛散するのを防止できるので、効率的に飛散防止できる。
【図面の簡単な説明】
【図１】第１実施形態のタブ式破砕装置の平面図である。
【図２】図１のＡ−Ａ矢視図である。
【図３】第２実施形態のタブ式破砕装置の平面図である。
【図４】木材破砕用自走式破砕機械の側面図である。
【図５】図４の平面図である。
【図６】従来のタブ式破砕装置の平面図である。
【図７】図６のＢ−Ｂ矢視図である。
【符号の説明】
１…破砕機、１ａ…軸、１ｂ…カッタ、３…タブ、３ａ…固定底板、３ｃ…内壁、１０…タブ式破砕装置、１１…凸部、１２…開口部、１３…ロータ、１４…デフレクタ、２０…邪魔板、２１…邪魔板。
【図１】
0004152068.tif 000002
【図２】
0004152068.tif 000003
【図４】
0004152068.tif 000004
【図５】
0004152068.tif 000005
【図６】
0004152068.tif 000006
【図７】
0004152068.tif 000007
【図３】
0004152068.tif 000008